(57)【要約】      （修正有）【課題】電力需要の変動に応じて電力の変動速度を制御する電力制御装置、電力制御方法及びプログラムを提供する。【解決手段】需要家に設置され、かつ、電力系統３０に接続された蓄電システム４０を制御する電力制御装置１４ａは、電力系統の周波数あるいは基準周波数に対する電力系統の周波数の差異を検出する周波数検出部６００と、周波数検出部において検出した周波数あるいは差異をもとに、蓄電システムに充放電させる充放電電力と電力変化速度に関する情報を生成する生成部６０４と、を備える。【選択図】図２
2019118202.tif 000002
【特許請求の範囲】
【請求項１】
需要家に設置され、かつ電力系統に接続された蓄電システムを制御する電力制御装置であって、
前記電力系統の周波数、あるいは基準周波数に対する前記電力系統の周波数の差異を検出する周波数検出部と、
前記周波数検出部において検出した前記周波数あるいは前記差異をもとに、前記蓄電システムに充放電させる電力と、前記蓄電システムに充放電させる電力値の変化割合に関する情報を生成する生成部と、
を備える、電力制御装置。
【請求項２】
前記電力系統の周波数、あるいは基準周波数に対する前記電力系統の周波数の差異に対して、前記蓄電システムに充放電させる電力と、前記蓄電システムに充放電させる電力値の変化割合とを関連づけた関連情報を保持する記憶部をさらに備え、
前記生成部は、前記周波数検出部において検出した前記周波数あるいは前記差異と、前記記憶部において保持した前記関連情報とをもとに、前記蓄電システムに充放電させる電力と、前記蓄電システムに充放電させる電力値の変化割合に関する情報を生成する、
請求項１に記載の電力制御装置。
【請求項３】
前記電力系統の周波数、あるいは基準周波数に対する前記電力系統の周波数の差異に対して、前記蓄電システムに充放電させる電力と、前記蓄電システムに充放電させる電力値の変化割合とを関連づけた関連情報を、前記電力系統を監視する上位のシステムから受信する受信部をさらに備える、
請求項２に記載の電力制御装置。
【請求項４】
需要家に設置され、かつ電力系統に接続された蓄電システムを制御する電力制御装置における制御方法であって、
前記電力系統の周波数、あるいは基準周波数に対する前記電力系統の周波数の差異を検出するステップと、
検出した前記周波数あるいは前記差異をもとに、前記蓄電システムに充放電させる電力と、前記蓄電システムに充放電させる電力値の変化割合に関する情報を生成するステップと、
を備える、電力制御方法。
【請求項５】
需要家に設置され、かつ電力系統に接続された蓄電システムを制御する電力制御装置におけるプログラムであって、
前記電力系統の周波数、あるいは基準周波数に対する前記電力系統の周波数の差異を検出するステップと、
検出した前記周波数あるいは前記差異をもとに、前記蓄電システムに充放電させる電力と、前記蓄電システムに充放電させる電力値の変化割合に関する情報を生成するステップとをコンピュータに実行させるためのプログラム。
【発明の詳細な説明】
【技術分野】
【０００１】
本発明は、電力を制御する電力制御装置、電力制御方法、プログラムに関する。
【背景技術】
【０００２】
需要家に設置された機器を制御する制御装置を備える電力管理システムが提案されている。機器は、例えば、太陽電池、蓄電池、燃料電池等の分散電源、家電機器を含む。このような制御装置は、上位のスマートサーバに接続される。スマートサーバは、複数の需要家を統括的に管理する（例えば、特許文献１参照）。
【先行技術文献】
【特許文献】
【０００３】
【特許文献１】特開２０１４−３３５９１号公報
【発明の概要】
【発明が解決しようとする課題】
【０００４】
需要家において電力系統に接続された蓄電システムを電力管理システムが制御するが、さらに複数の電力管理システムを群管理システムが制御する場合、電力需要の増減に応じて群管理システムは電力管理システム経由で各蓄電システムを充放電させる。しかしながら、複数の蓄電システムをまとめて充放電させると、電力の変動が大きくなって電力系統が不安定になる可能性がある。そのため、電力需要の変動に応じた電力の変動速度の制御が求められる。
【０００５】
本発明はこうした状況に鑑みなされたものであり、その目的は、電力需要の変動に応じて電力の変動速度を制御する技術を提供することにある。
【課題を解決するための手段】
【０００６】
上記課題を解決するために、本発明のある態様の、電力制御装置は、需要家に設置され、かつ電力系統に接続された蓄電システムを制御する電力制御装置であって、電力系統の周波数、あるいは基準周波数に対する電力系統の周波数の差異を検出する周波数検出部と、周波数検出部において検出した周波数あるいは差異をもとに、蓄電システムに充放電させる電力と、蓄電システムに充放電させる電力値の変化割合に関する情報を生成する生成部と、を備える。
【０００７】
本発明の別の態様は、電力制御方法である。この方法は、需要家に設置され、かつ電力系統に接続された蓄電システムを制御する電力制御装置における制御方法であって、電力系統の周波数、あるいは基準周波数に対する電力系統の周波数の差異を検出するステップと、検出した周波数あるいは差異をもとに、蓄電システムに充放電させる電力と、蓄電システムに充放電させる電力値の変化割合に関する情報を生成するステップと、を備える。
【０００８】
なお、以上の構成要素の任意の組合せ、本発明の表現を方法、装置、システム、コンピュータプログラム、またはコンピュータプログラムを記録した記録媒体などの間で変換したものもまた、本発明の態様として有効である。
【発明の効果】
【０００９】
本発明によれば、電力需要の変動に応じて電力の変動速度を制御できる。
【図面の簡単な説明】
【００１０】
【図１】実施例に係るＶＰＰシステムの構成を示す図である。
【図２】図１の需要家の構成を示す図である。
【図３】図２の記憶部に記憶されるテーブルのデータ構造を示す図である。
【図４】図２の蓄電システムの制御例を示す図である。
【図５】図２の第１電力管理システムサーバによる制御手順を示すフローチャートである。
【発明を実施するための形態】
【００１１】
本発明の実施例を具体的に説明する前に、本実施例の概要を説明する。実施例は、電力系統における電力需要の増減に応じて、電力系統に接続された蓄電システムの充放電を制御する電力管理システムに関する。蓄電システムは、太陽光発電システム、燃料電池システム等の機器とともに各需要家に設置される。需要家は、電力会社等からの電力の供給を受けている施設であり、例えば、住宅、事務所、店舗、工場、公園などである。電力管理システムは、需要家における電力の消費量が大きい時間帯において蓄電システムを放電させたり、電力系統の電気料金が安価である夜間において蓄電システムを充電させたりする。ここでは、電力管理システムがＶＰＰ（Ｖｉｒｔｕａｌ  Ｐｏｗｅｒ  Ｐｌａｎｔ）に含まれることを想定する。ＶＰＰは、点在する小規模な太陽光発電システム、蓄電システム、燃料電池システム等の機器と、電力の需要抑制を統合して制御する。ＶＰＰは、太陽光発電システム、蓄電システム、燃料電池システム等の機器をネットワークを介して制御することによって、これらを１つの発電所のようにまとめて機能させる。
【００１２】
このようなＶＰＰを実現するために、複数の電力管理システムは、群管理システムに接続される。また、群管理システムは、複数の群管理システムを統合するアグリゲータである上位システムに接続される。上位システムと群管理システムに、需要家に設置された蓄電システム等の機器を加えたものがＶＰＰに相当する。上位システムは、市場で、あるいは事業者と相対契約で電力を取引する。また、上位システムは、電力取引市場や電力会社の送配電部門、小売電気事業者等に集約した調整力を提供する。そのため、上位システムは、市場あるいは各事業者に提供する調整力を決定し、調整力を各群管理システムに配分する。各群管理システムは、さらに調整力を各需要家に配分する。これより、群管理システムは、上位システムからの要求に応じて売電あるいは買電するように、複数の電力管理システムのそれぞれに対して制御を指示する。例えば、群管理システムは、発電所において発電される電力が逼迫する場合、蓄電システムを放電させたり、需要家における電力消費を抑制させたりするように制御することを電力管理システムに要求する。
【００１３】
群管理システムに複数の電力管理システムが接続され、各電力管理システムに１つ以上の蓄電システムが接続されることによって、これらは階層的に配置されている。そのため、複数の蓄電システム（以下、「蓄電システム群」ともいう）による電力の変動を群管理システムが制御するといえる。一方、電力系統における電力需要の変動は、変動周期が互いに異なった微少変動分、短周期成分、長周期成分の合成によって示される。なお、これらの合成の割合は状況に応じて異なり、例えば、電力需要は変動しながら増加する。電力需要の増減に応じて、群管理システムが複数の蓄電システムを一斉に充放電させると、電力の変動が大きくなり電力系統が不安定となる。そのため、電力需要の増減の速度に応じて、電力の変動速度も調節されることが望ましい。
【００１４】
このような状況に対応するために、本実施例における各電力管理システムは、電力系統の周波数を検出し、検出した周波数をもとに電力変化速度を調節する。各電力管理システムにおいて独立した制御がなされるが、各電力管理システムにおいて検出される電力系統の周波数は共通であり、かつ上位システムあるいは群管理サーバにおいて生成されたテーブルを使用する。そのため、各電力管理システムにおける制御は共通になる。
【００１５】
図１は、ＶＰＰシステム１００の構成を示す。ＶＰＰシステム１００は、上位システムサーバ１０、群管理システムサーバ１２と総称される第１群管理システムサーバ１２ａ、第２群管理システムサーバ１２ｂ、第Ｍ群管理システムサーバ１２ｍ、電力管理システムサーバ１４と総称される第１電力管理システムサーバ１４ａ、第２電力管理システムサーバ１４ｂ、第Ｎ電力管理システムサーバ１４ｎを含む。ここで、第１電力管理システムサーバ１４ａは第１需要家１６ａに設置され、第２電力管理システムサーバ１４ｂは第２需要家１６ｂに設置され、第Ｎ電力管理システムサーバ１４ｎは第Ｎ需要家１６ｎに設置され、第１需要家１６ａ、第２需要家１６ｂ、第Ｎ需要家１６ｎは需要家１６と総称される。なお、群管理システムサーバ１２の数は「Ｍ」に限定されず、電力管理システムサーバ１４と需要家１６の数は「Ｎ」に限定されない。
【００１６】
需要家１６は、例えば、一戸建ての住宅、マンションなどの集合住宅、コンビニエンスストアまたはスーパーマーケットなどの店舗、ビルなどの商用施設、工場であり、前述のごとく、電力会社等からの電力の供給を受けている施設である。需要家１６には、空調機器（エアコン）、テレビジョン受信装置（テレビ）、照明装置、蓄電システム、ヒートポンプ給湯機等の機器が設置される。これらの機器は、電力事業者等の電力系統に接続されることによって、商用電力の供給を受けて、電力を消費する。機器として、電力使用の削減量が比較的大きいと想定されるものが有用であるが、削減量があまり大きくないと想定されるものであってもよい。なお、機器に、太陽電池システム、燃料電池システム等の再生可能エネルギー発電装置が含まれてもよい。
【００１７】
電力管理システムサーバ１４は、電力管理システムの処理を実行するためのコンピュータであり、例えば、需要家１６内に設置される。電力管理システムサーバ１４は、例えば、ＨＥＭＳ（Ｈｏｍｅ  Ｅｎｅｒｇｙ  Ｍａｎａｇｅｍｅｎｔ  Ｓｙｓｔｅｍ）コントローラとしての機能を有する。そのため、電力管理システムサーバ１４は、ＨＡＮ（Ｈｏｍｅ  Ａｒｅａ  Ｎｅｔｗｏｒｋ）により需要家１６内の各種機器と通信可能であり、これらの機器を制御する。電力管理システムサーバ１４は、蓄電システムの動作、例えば、放電、充電を制御する。また、電力管理システムサーバ１４は、需要家１６に設置された機器と電力系統との間の連系を制御してもよい。電力管理システムサーバ１４は、停電時に機器と電力系統との間を解列し、復電時に機器と電力系統との間を連系する。
【００１８】
群管理システムサーバ１２は、群管理システムの処理を実行するためのコンピュータである。群管理システムサーバ１２は、複数の電力管理システムサーバ１４を接続することによって、複数の電力管理システムサーバ１４を管理する。その結果、群管理システムサーバ１２は、複数の電力管理システムサーバ１４のそれぞれに接続される複数の機器を統括的に管理する。例えば、群管理システムサーバ１２は、複数の需要家１６の各々に設置された蓄電システムからなる蓄電システム群に制御指令を送信してもよい。複数の群管理システムサーバ１２は、上位システムサーバ１０に接続される。上位システムサーバ１０は、アグリゲータである上位システムの処理を実行するためのコンピュータである。前述のごとく、上位システムと群管理システムを含むＶＰＰは、市場で、あるいは事業者と相対契約で電力を取引しており、上位システムサーバ１０は、契約に応じた要求を群管理システムサーバ１２に出力する。なお、１つの群管理システムサーバ１２が複数の上位システムサーバ１０に接続されてもよい。
【００１９】
このような構成によって、電力系統における電力需要が逼迫する場合、群管理システムサーバ１２は、蓄電システムから放電した電力を需要家１６内で消費させたり、需要家１６内での電力消費を抑制させたりするように電力管理システムサーバ１４を制御する。また、電力系統における電力供給が電力需要を上まわる場合、群管理システムサーバ１２は、蓄電システムへの充電を増やしたり、需要家１６内での需要を増大させたりするように電力管理システムサーバ１４を制御する。
【００２０】
図２は、需要家１６の構成を示す。需要家１６には、電力系統３０、スマートメータ３２、分電盤３４、負荷３６、蓄電システム４０、電力管理システムサーバ１４、例えば第１電力管理システムサーバ１４ａが設置される。また、蓄電システム４０は、ＳＢ（Ｓｔｏｒａｇｅ  Ｂａｔｔｅｒｙ）２１０、ＳＢ用ＤＣ／ＤＣ２１２、双方向ＤＣ／ＡＣインバータ２１４、制御装置２１６を含む。第１電力管理システムサーバ１４ａは、サービス連携部３００、制御部３０２を含み、サービス連携部３００は、受信部５１０、送信部５１２を含み、制御部３０２は、周波数検出部６００、記憶部６０２、生成部６０４、送信部６０６、受信部６０８を含む。さらに、第１電力管理システムサーバ１４ａには、ネットワーク１８を介して群管理システムサーバ１２、例えば第１群管理システムサーバ１２ａが接続される。なお、需要家１６には、太陽電池システム、ヒートポンプ給湯機等が設置されてもよいが、ここではこれらを省略する。
【００２１】
電力系統３０における電力需要は、変動周期が互いに異なった微少変動分、短周期成分、長周期成分の合成によって示される。微少変動分は数十秒程度の変動周期を有し、短周期成分は数分程度の変動周期を有し、長周期成分は数十分程度の変動周期を有する。つまり、微少変動分の変動周期が最も短く、長周期成分の変動周期が最も長い。スマートメータ３２は、電力系統３０に接続され、デジタル式の電力量計である。スマートメータ３２は、電力系統３０から入ってくる潮流の電力量と、電力系統３０へ出て行く逆潮流の電力量とを計測可能である。スマートメータ３２は、通信機能を有し、電力管理システムサーバ１４と通信可能である。
【００２２】
配電線４２は、スマートメータ３２と分電盤３４とを結ぶ。分電盤３４は、配電線４２に接続されるとともに、負荷３６を接続する。分電盤３４は、負荷３６に電力を供給する。負荷３６は、配電線４２を介して供給される電力を消費する機器である。負荷３６は、冷蔵庫、エアコン、照明等の機器を含む。ここでは、分電盤３４に１つの負荷３６が接続されているが、分電盤３４に複数の負荷３６が接続されてもよい。
【００２３】
ＳＢ２１０は、電力を充放電可能な蓄電池であり、リチウムイオン蓄電池、ニッケル水素蓄電池、鉛蓄電池、電気二重層キャパシタ、リチウムイオンキャパシタ等を含む。ＳＢ２１０はＳＢ用ＤＣ／ＤＣ２１２に接続される。ＳＢ用ＤＣ／ＤＣ２１２は、ＤＣ−ＤＣコンバータであり、ＳＢ２１０側の直流電力と、双方向ＤＣ／ＡＣインバータ２１４側の直流電力との間の変換を実行する。
【００２４】
双方向ＤＣ／ＡＣインバータ２１４は、ＳＢ用ＤＣ／ＤＣ２１２と分電盤３４との間に接続される。双方向ＤＣ／ＡＣインバータ２１４は、分電盤３４からの交流電力を直流電力に変換し、変換した直流電力をＳＢ用ＤＣ／ＤＣ２１２に出力する。また、双方向ＤＣ／ＡＣインバータ２１４は、ＳＢ用ＤＣ／ＤＣ２１２からの直流電力を交流電力に変換し、変換した交流電力を分電盤３４に出力する。つまり、双方向ＤＣ／ＡＣインバータ２１４によってＳＢ２１０は充放電される。このような双方向ＤＣ／ＡＣインバータ２１４の制御は制御装置２１６によってなされる。ここで、ＳＢ２１０、ＳＢ用ＤＣ／ＤＣ２１２、双方向ＤＣ／ＡＣインバータ２１４、制御装置２１６は１つの筐体に格納されてもよく、その場合であっても、これを蓄電システム４０と呼ぶものとする。
【００２５】
第１電力管理システムサーバ１４ａは、ＨＡＮ等のネットワークを介して、スマートメータ３２、蓄電システム４０に接続され、それぞれと通信可能であり、電力系統３０に接続された蓄電システム４０を制御する。このような第１電力管理システムサーバ１４ａは電力制御装置であるといえる。以下では、第１電力管理システムサーバ１４ａとスマートメータ３２との間の通信は説明を省略する。
【００２６】
周波数検出部６００は、電力系統３０に接続される。周波数検出部６００は、電力系統３０における交流電力の周波数（以下、「電力系統３０の周波数」ともいう）を検出する。電力系統３０の周波数は、電力需要が増加して電力が不足すると商用電源周波数より低くなり、電力需要が減少して電力が過剰になると商用電源周波数より高くなる。商用電源周波数は、例えば、５０Ｈｚ、６０Ｈｚに定められる基準周波数である。周波数検出部６００は、商用電源周波数に対する電力系統３０の周波数の差異を検出してもよい。なお、周波数検出部６００は、スマートメータ３２あるいは配電線４２に接続されて、電力系統３０の周波数を検出してもよい。さらに、周波数検出部６００は蓄電システム４０内に設けられ、検出した周波数を第１電力管理システムサーバ１４ａに送信してもよい。
【００２７】
記憶部６０２は、電力系統３０の周波数に対して、蓄電システム４０に充放電させる電力と、蓄電システム４０に充放電させる電力値の変化割合とを関連づけた関連情報を保持する。なお、関連情報では、電力系統３０の周波数の代わりに、商用電源周波数に対する電力系統３０の周波数の差異が使用されてもよい。関連情報は例えばテーブルの形式で保持されるが、関係式の形式で保持されてもよい。図３は、記憶部６０２に記憶されるテーブルのデータ構造を示す。図示のごとく、検出周波数に対する充放電電力と電力変化速度との関連が示される。電力変化速度は、単位時間あたりの電力の増加量あるいは減少量として示され、電力の変化の傾きといえる。ここでは、商用電源周波数が６０Ｈｚであるとされる。検出周波数が６０Ｈｚよりも高い場合、つまり電力系統３０の周波数が商用電源周波数よりも高い場合、蓄電システム４０に充電を実行させるような充放電電力が規定される。一方、検出周波数が６０Ｈｚよりも低い場合、つまり電力系統３０における交流電力の周波数が商用電源周波数よりも低い場合、蓄電システム４０に放電を実行させるような充放電電力が規定される。
【００２８】
電力系統３０の周波数が商用電源周波数よりも低い場合であっても、これらの周波数のずれの大きさに応じて、電力不足の程度が異なる。例えば、これらの周波数のずれが大きい場合は、これらの周波数のずれが小さい場合よりも、電力不足の程度が大きいといえる。つまり、これらの周波数のずれが大きい場合には、これらの周波数のずれが小さい場合よりも、充放電電力の絶対値を大きくするとともに、蓄電システム４０による電力の変動速度（以下、「電力変化速度」という）を速くしなければならない。そのため、電力系統３０の周波数と商用電源周波数との差異の絶対値が大きくなるほど、充放電電力の絶対値、電力変化速度の絶対値が大きくなるような規定がなされる。なお、電力変化速度として、調整力種別Ａと調整力種別Ｂのごとく、値が互いに異なった２種類の速度が規定される。しかしながら、電力変化速度は１種類だけ規定されてもよいし、３種類以上規定されてもよい。図２に戻る。
【００２９】
生成部６０４は、周波数検出部６００において検出した周波数または差異をもとに、記憶部６０２において保持したテーブルを参照することによって、蓄電システム４０に充放電させる電力と、蓄電システム４０に充放電させる電力値の変化割合に関する情報を生成する。前者が充放電電力に相当し、後者が電力変化速度に相当する。なお、記憶部６０２に保持されたテーブルの調整力種別Ａと調整力種別Ｂのどちらを使用するかは、生成部６０４に予め設定されているものとする。生成部６０４は、生成した情報を送信部６０６に出力する。送信部６０６は、生成した情報が含まれたメッセージを蓄電システム４０に出力する。
【００３０】
蓄電システム４０における制御装置２１６は、第１電力管理システムサーバ１４ａからのメッセージに応じて、電力変化速度にしたがいながら充放電電力を充電あるいは放電する。制御装置２１６は、メッセージにしたがった充電あるは放電を実行した場合、完了が示されたメッセージを第１電力管理システムサーバ１４ａに送信してもよい。このメッセージは、第１電力管理システムサーバ１４ａの制御部３０２における受信部６０８に受信される。図４は、蓄電システム４０の制御例を示す。横軸が時間を示し、縦軸が出力を示す。検出周波数は図３の「５９．８Ｈｚ〜」に該当するとともに、調整力種別Ｂが使用されるとする。放電電力が時間の経過とともに段階的に増加し、１秒間にわたって２ｋＷ増加する。なお、放電電力は、時間の経過とともに連続的にして増加してもよい。図２に戻る。
【００３１】
なお、図３では１秒間で所定の充放電電力の値に達する例を示したが、変化速度はこれに限るものではなく、１０秒、２０秒、３０秒、６０秒でなどの期間で達するように変化させてもよい。また、図３では、充放電電力として蓄電システム４０が最終的に充電・放電すべき電力の絶対値を示しているが、制御開始前の出力からの相対的な変化量を示してもよい。例えば、充放電電力として「＋Δ２ｋＷ（放電方向に２ｋＷ出力を増加させる）」のように記憶されており、制御開始前に１ｋＷ充電している場合には、放電出力が１ｋＷに達するまで電力変化速度に従って出力を変化させるようにしてもよい。
【００３２】
第１電力管理システムサーバ１４ａのサービス連携部３００は、ネットワーク１８を介して第１群管理システムサーバ１２ａに接続され、第１群管理システムサーバ１２ａとの間で通信を実行する。受信部５１０は、第１群管理システムサーバ１２ａからのメッセージを受信する。メッセージには、例えば、記憶部６０２において保持すべきテーブルが含まれる。このテーブルは、第１群管理システムサーバ１２ａにおいて生成されており、例えば、第１群管理システムサーバ１２ａによって管理される複数の蓄電システム４０の数が変わった場合に更新される。このように各電力管理システムサーバ１４において共通のテーブルが使用されるので、群管理システムサーバ１２は、複数の電力管理システムサーバ１４のそれぞれに接続される複数の機器を統括的に管理するといえる。なお、テーブルは上位システムサーバ１０において生成されてもよい。その場合、受信部５１０は、第１群管理システムサーバ１２ａ経由で上位システムサーバ１０から、テーブルが含まれたメッセージを受信するといえる。
【００３３】
また、受信部５１０が受信するメッセージには、テーブルの調整力種別Ａと調整力種別Ｂのうちの使用する方を指定するための情報が含まれていてもよい。生成部６０４は、メッセージに含まれた指定の情報をもとに、調整力種別Ａあるいは調整力種別Ｂを使用する。送信部５１２は、第１群管理システムサーバ１２ａにメッセージを送信する。
【００３４】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００３５】
以上の構成による電力管理システムサーバ１４の動作を説明する。図５は、第１電力管理システムサーバ１４ａによる制御手順を示すフローチャートである。周波数検出部６００は電力系統３０の周波数を検出する（Ｓ１０）。生成部６０４は、検出した周波数をもとに、充放電電力と電力変化速度を特定する（Ｓ１２）。送信部６０６は、充放電電力と電力変化速度が含まれた指示を蓄電システム４０に出力する（Ｓ１４）。
【００３６】
本実施例によれば、電力系統３０の周波数を検出して、これをもとに蓄電システム４０に充放電させる電力と、蓄電システム４０に充放電させる電力値の変化割合に関する情報を生成するので、電力需要の変動に応じて電力の変動速度を制御できる。また、商用電源周波数に対する電力系統３０の周波数の差異を検出して、これをもとに蓄電システム４０に充放電させる電力と、蓄電システム４０に充放電させる電力値の変化割合に関する情報を生成するので、電力需要の変動に応じて電力の変動速度を制御できる。また、電力需要の変動に応じて電力の変動速度が制御されるので、電力系統が不安定になることを抑制できる。
【００３７】
また、電力系統３０の周波数、あるいは商用電源周波数に対する電力系統３０の周波数の差異に対して、蓄電システム４０に充放電させる電力と、蓄電システム４０に充放電させる電力値の変化割合とを関連づけた関連情報を保持するので、処理を簡易にできる。また、電力系統３０の周波数、あるいは商用電源周波数に対する電力系統３０の周波数の差異に対して、蓄電システム４０に充放電させる電力と、蓄電システム４０に充放電させる電力値の変化割合とを関連づけた関連情報を受信するので、関連情報を更新できる。また、関連情報が更新されるので、ＶＰＰシステム１００の構成が変わっても、それに適した関連情報を使用できる。
【００３８】
本発明の一態様の概要は、次の通りである。本発明のある態様の電力管理システムサーバ１４は、需要家１６に設置され、かつ電力系統３０に接続された蓄電システム４０を制御する電力管理システムサーバ１４であって、電力系統３０の周波数、あるいは基準周波数に対する電力系統３０の周波数の差異を検出する周波数検出部６００と、周波数検出部６００において検出した周波数あるいは差異をもとに、蓄電システム４０に充放電させる電力と、蓄電システム４０に充放電させる電力値の変化割合に関する情報を生成する生成部６０４と、を備える。
【００３９】
電力系統３０の周波数、あるいは基準周波数に対する電力系統３０の周波数の差異に対して、蓄電システム４０に充放電させる電力と、蓄電システム４０に充放電させる電力値の変化割合とを関連づけた関連情報を保持する記憶部６０２をさらに備えてもよい。生成部６０４は、周波数検出部６００において検出した周波数あるいは差異と、記憶部６０２において保持した関連情報とをもとに、蓄電システム４０に充放電させる電力と、蓄電システム４０に充放電させる電力値の変化割合に関する情報を生成する。
【００４０】
電力系統３０の周波数、あるいは基準周波数に対する電力系統３０の周波数の差異に対して、蓄電システム４０に充放電させる電力と、蓄電システム４０に充放電させる電力値の変化割合とを関連づけた関連情報を、電力系統３０を監視する上位のシステムから受信する受信部５１０をさらに備える。
【００４１】
本発明の別の態様は、電力制御方法である。この方法は、需要家１６に設置され、かつ電力系統３０に接続された蓄電システム４０を制御する電力管理システムサーバ１４における制御方法であって、電力系統３０の周波数、あるいは基準周波数に対する電力系統３０の周波数の差異を検出するステップと、検出した周波数あるいは差異をもとに、蓄電システム４０に充放電させる電力と、蓄電システム４０に充放電させる電力値の変化割合に関する情報を生成するステップと、を備える。
【００４２】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００４３】
本実施例において、周波数検出部６００から送信部６０６は第１電力管理システムサーバ１４ａに含まれている。しかしながらこれに限らず例えば、周波数検出部６００から送信部６０６は、蓄電システム４０の制御装置２１６に含まれてもよい。その場合、制御装置２１６が電力制御装置であるといえる。本変形例によれば、構成の自由度を拡張できる。
【符号の説明】
【００４４】
１０  上位システムサーバ、  １２  群管理システムサーバ、  １４  電力管理システムサーバ（電力制御装置）、  １６  需要家、  １８  ネットワーク、  ３０  電力系統、  ３２  スマートメータ、  ３４  分電盤、  ３６  負荷、  ４０  蓄電システム、  ４２  配電線、  １００  ＶＰＰシステム、  ２１０  ＳＢ、  ２１２  ＳＢ用ＤＣ／ＤＣ、  ２１４  双方向ＤＣ／ＡＣインバータ、  ２１６  制御装置（電力制御装置）、  ３００  サービス連携部、  ３０２  制御部、  ５１０  受信部、  ５１２  送信部、  ６００  周波数検出部、  ６０２  記憶部、  ６０４  生成部、  ６０６  送信部、  ６０８  受信部。
【図１】
2019118202.tif 000003
【図２】
2019118202.tif 000004
【図３】
2019118202.tif 000005
【図４】
2019118202.tif 000006
【図５】
2019118202.tif 000007